(57)【要約】【課題】故障の原因を容易に推測できるデジタルカメラを提供する。【解決手段】被写体を撮影する撮影部３２と、前記撮影部により撮影した前記被写体の画像データを記憶する画像記憶部３３と、前記画像データに基づく画像を表示する表示部２４と、該デジタルカメラの状態を測定する測定部６と、前記測定部により測定した測定値が所定の値となった場合に前記測定値及び前記測定値の測定日時を履歴として記憶する履歴記憶部１４とを備える。【選択図】図１
2012181474.tif 000002
【特許請求の範囲】
【請求項１】
被写体を撮影する撮影部と、
前記撮影部により撮影した前記被写体の画像データを記憶する画像記憶部と、
前記画像データに基づく画像を表示する表示部と、
該デジタルカメラの状態を測定する測定部と、
前記測定部により測定した測定値が所定の値となった場合に前記測定値及び前記測定値の測定日時を履歴として記憶する履歴記憶部と
を備えることを特徴とするデジタルカメラ。
【請求項２】
前記測定部は、水検出センサ、圧力センサ、加速度センサ及び温度センサの中の少なくとも一つであることを特徴とする請求項１記載のデジタルカメラ。
【請求項３】
前記測定値が前記所定の値となった状態において前記撮影部により撮影が行われた場合、前記画像データのタグ情報として撮影日時及び前記撮影時における前記測定値を記憶させる記憶制御部を備えることを特徴とする請求項１又は２記載のデジタルカメラ。
【請求項４】
前記測定値が前記所定の値となった状態において前記撮影部により撮影が行われた場合、前記画像データと前記履歴記憶部に記憶された前記測定値及び前記測定日時とを関連付けるデータ制御部を備えることを特徴とする請求項１〜３の何れか一項に記載のデジタルカメラ。
【請求項５】
前記測定値が前記所定の値となった状態において撮影された画像を前記表示部に表示する場合、前記画像と共にその旨を表示させる表示制御部を備えることを特徴とする請求項３又は４記載のデジタルカメラ。
【請求項６】
前記履歴記憶部に記憶された前記測定値及び前記測定日時の履歴を前記表示部に表示させる履歴表示制御部を備えることを特徴とする請求項１〜５の何れか一項に記載のデジタルカメラ。
【請求項７】
前記履歴記憶部は、前記測定値が所定の変化量を超えて変化した場合、前記変化に関する情報を履歴として記憶することを特徴とする請求項１〜６の何れか一項に記載のデジタルカメラ。
【請求項８】
前記履歴記憶部に履歴として記憶した前記測定値及び前記測定日時の数が所定の数を超えた場合に報知を行う報知部を備えることを特徴とする請求項１〜７の何れか一項に記載のデジタルカメラ。
【請求項９】
前記報知は、部品交換を促すメッセージであることを特徴とする請求項８に記載のデジタルカメラ。
【請求項１０】
該デジタルカメラが電源オフの状態において前記水検出センサ、前記圧力センサ及び前記加速度センサの中の少なくとも一つに電力を供給するバックアップ電池を備え、
前記電力を供給されたセンサは、電源オフの状態においても作動することを特徴とする請求項２〜９の何れか一項に記載のデジタルカメラ。
【請求項１１】
電源オフの状態において測定した測定値が所定の値となった場合、電源オン時にその旨を報知することを特徴とする請求項１０記載のデジタルカメラ。
【請求項１２】
前記履歴記憶部に記憶された前記履歴を外部表示装置に対して出力する出力部を備えることを特徴とする請求項１〜１１の何れか一項に記載のデジタルカメラ。
【発明の詳細な説明】
【技術分野】
【０００１】
本発明は、デジタルカメラに関するものである。
【背景技術】
【０００２】
従来、過酷な環境においても撮影を行うことができるデジタルカメラが知られている（例えば、特許文献１参照）。
【先行技術文献】
【特許文献】
【０００３】
【特許文献１】特開２００９−２５８３７２号公報
【発明の概要】
【発明が解決しようとする課題】
【０００４】
しかし、上述のデジタルカメラにおいては、通常のデジタルカメラと比較して故障率が高いにも拘わらず、故障の原因を推測することが困難であるという問題があった。
【０００５】
本発明の目的は、故障の原因を容易に推測できるデジタルカメラを提供することである。
【課題を解決するための手段】
【０００６】
本発明のデジタルカメラは、被写体を撮影する撮影部と、前記撮影部により撮影した前記被写体の画像データを記憶する画像記憶部と、前記画像データに基づく画像を表示する表示部と、該デジタルカメラの状態を測定する測定部と、前記測定部により測定した測定値が所定の値となった場合に前記測定値及び前記測定値の測定日時を履歴として記憶する履歴記憶部とを備えることを特徴とする。
【発明の効果】
【０００７】
本発明のデジタルカメラによれば、故障の原因を容易に推測できる。
【図面の簡単な説明】
【０００８】
【図１】実施の形態に係るデジタルカメラのシステム構成を示すブロック図である。
【図２】実施の形態に係るデジタルカメラに衝撃が加えられた場合における処理を示すフローチャートである。
【図３】実施の形態に係るデジタルカメラの履歴記憶部に記憶された履歴情報を示す図である。
【図４】実施の形態に係るデジタルカメラのＬＣＤ表示部に表示された警告メッセージを示す図である。
【図５】実施の形態に係るデジタルカメラにより撮影された画像の画像データのヘッダ部に記憶された情報を示す図である。
【図６】実施の形態に係るデジタルカメラにおいて水中で撮影を行う場合における処理を示すフローチャートである。
【図７】実施の形態に係るデジタルカメラにおいて低温で撮影を行う場合における処理を示すフローチャートである。
【図８】実施の形態に係るデジタルカメラのＬＣＤ表示部に表示された履歴を示す図である。
【図９】実施の形態に係るデジタルカメラのＬＣＤ表示部に表示されたメッセージを示す図である。
【図１０】実施の形態に係るデジタルカメラのＬＣＤ表示部に表示された画像及びメッセージを示す図である。
【図１１】実施の形態に係るデジタルカメラのメモリカードに記憶されるフォルダの構成を示す図である。
【図１２】実施の形態に係るデジタルカメラを外部表示装置に接続した状態を示す図である。
【発明を実施するための形態】
【０００９】
以下、図面を参照して実施の形態に係るデジタルカメラについて説明する。図１は、実施の形態に係るデジタルカメラ２の構成を示すブロック図である。デジタルカメラ２は、ＣＰＵ４を備え、ＣＰＵ４には、デジタルカメラ２に作用した加速度の大きさを計測する加速度センサ６、デジタルカメラ２が水中にあるか否かを判定する水検出センサ８、デジタルカメラ２に作用した水圧を計測する圧力センサ１０、デジタルカメラ２の周囲の温度を計測する温度センサ１２、センサ（以下、加速度センサ６、水検出センサ８、圧力センサ１０及び温度センサ１２を包括的に含む用語としてセンサを用いる。）により測定した測定値及び測定日時等を履歴情報として記憶する履歴記憶部１４、外部表示装置との間で履歴情報等の送受信を行う無線通信部１６、ＵＳＢ機器が接続されるＵＳＢポート１８、レリーズボタン５０（図４参照）、履歴情報をＬＣＤ表示部２４において表示する履歴表示ボタン５２（図４参照）及び電源スイッチ（図示せず）等を含む操作部２２が接続されている。
【００１０】
また、ＣＰＵ４には、ＬＣＤ表示部２４の表示制御を行う表示制御部２６、鏡筒部２８の駆動を制御するモータ制御部３０、被写体を撮影するための撮像素子３２、撮像素子３２により撮影した画像の画像データを記憶する画像記憶部３３、撮影日時や撮影時におけるレンズＦ値等の撮影情報を記憶する情報記憶部３４、ＣＰＵ４が実行する撮影処理、画像再生処理等のプログラムを記憶するプログラム記憶部３５、画像データを記憶するメモリカード３６、音声を取得するマイク及び音声を出力するスピーカ等を備える音声入出力部３８、撮像素子３２による撮影時に所定の輝度を得るためにフラッシュ光を閃光して被写体を照射するストロボユニット４０、電池４２から各部への電力の供給、及び電源オフ時にバックアップ電池４６からセンサへ電力の供給を制御する電源制御部４４が接続されている。
【００１１】
次に、図２に示すフローチャートを参照して実施の形態に係るデジタルカメラ２に衝撃が加えられた場合における処理について説明する。まず、初めてデジタルカメラ２の電源がオンにされると（ステップＳ１）、ＣＰＵ４は、日付／時刻の設定等の所定の初期設定を行い、電源がオンにされた日時及び電源がオンされた旨を履歴情報として履歴記憶部１４に記憶する（ステップＳ２）。例えば、２０１０年１０月１８日の午前８時３５分に初めてデジタルカメラ２の電源がオンにされた場合、図３に示すように、「2010.10.18  08:35  Power Supply」のように記憶する。
【００１２】
次に、ＣＰＵ４は、電源制御部４４により電池４２からバックアップ電池４６への充電を行い（ステップＳ３）、充電が完了すると電源をオフにする（ステップＳ４）。これにより、電源がオフにされた状態においてもバックアップ電池４６から加速度センサ６に対して電力が供給され、加速度センサ６によりデジタルカメラ２に作用した加速度を計測することができる。
【００１３】
次に、ＣＰＵ４は、加速度センサ６によりデジタルカメラ２に衝撃が加えられたか否かを判定する（ステップＳ５）。例えば、デジタルカメラ２に作用した加速度が６００Ｇ以下である場合に安全に撮影できることを仕様書で保証している場合、６００Ｇを超える加速度が計測されたか否かを判定する。衝撃が加えられた場合（ステップＳ５：Ｙｅｓ）、ＣＰＵ４は、衝撃が加えられたと判定した日時及び計測した加速度の値を履歴情報として履歴記憶部１４に記憶する（ステップＳ６）。例えば、２０１０年１０月２０日の午前１０時４５分にデジタルカメラ２に加速度７５０Ｇが作用した場合、図３に示すように、「2010.10.20  10:45  Acc  750G」という履歴情報を履歴記憶部１４に記憶する。
【００１４】
なお、衝撃が加えられていない場合（ステップＳ５：Ｎｏ）、または、衝撃が加えられ、履歴記憶部１４に履歴情報が記憶された場合（ステップＳ６）、ＣＰＵ４は、デジタルカメラ２の電源がオンにさたか否かを判定する（ステップＳ７）。デジタルカメラ２の電源がオンにされた場合、履歴記憶部１４に履歴情報が記憶されていれば、ＣＰＵ４は、プログラム記憶部３５から「大きな衝撃がカメラ本体に加えられました！」等の警告メッセージのデータを読み出す。また、履歴記憶部１４から衝撃が加えられた日時の履歴情報を読み出す。そして、ＣＰＵ４は、図４に示すように、警告メッセージを衝撃が加えられた日時共にＬＣＤ表示部２４において表示する（ステップＳ８）。一方、デジタルカメラ２の電源がオンにされなければ、ステップＳ５の処理に戻る。
【００１５】
次に、ＣＰＵ４は、セルフチェックを行い（ステップＳ９）、デジタルカメラ２が正常に作動するか否かの判定を行う（ステップＳ１０）。例えば、ＣＰＵ４は、鏡筒部２８が正常にカメラボディ内に沈胴するか否かをチェックすることによりデジタルカメラ２が正常に作動するか否かの判定を行う。デジタルカメラ２が正常に作動しない場合（ステップＳ１０：Ｎｏ）、ＣＰＵ４は、プログラム記憶部３５から「カメラが故障した可能性があります！サービスセンターにお問い合わせください。」等の警告メッセージのデータを読み出し、警告メッセージをＬＣＤ表示部２４において表示した後（ステップＳ１１）、デジタルカメラ２の電源をオフにする（ステップＳ１２）。
【００１６】
一方、デジタルカメラ２が正常に作動する場合（ステップＳ１０：Ｙｅｓ）、ＣＰＵ４は、プログラム記憶部３５から「カメラが正常に作動することが確認できました。」等のメッセージのデータを読み出し、メッセージをＬＣＤ表示部２４において表示する（ステップＳ１３）。この状態でレリーズボタン５０が操作され、撮像素子３２により被写体の撮影が行われると（ステップＳ１４）、ＣＰＵ４は、撮像素子３２により撮影された画像の画像データを画像記憶部３３に記憶し、撮影日時、撮影時のレンズＦ値、衝撃時の加速度情報等の撮影情報を情報記憶部３４に記憶する。次に、ＣＰＵ４は、画像記憶部３３から画像データを読み出し、情報記憶部３４から撮影情報を読み出して、画像データのヘッダ部に撮影情報をタグ情報として記憶する（ステップＳ１５）。例えば、２０１０年１０月２１日の午前９時２５分に撮影が行われ、撮影時のレンズＦ値がＦ８．０、加速度センサ６により計測した衝撃時の加速度が７５０Ｇ、温度センサ１２により計測した撮影時のデジタルカメラ２の周囲の温度が２０℃だった場合、ＣＰＵ４は、図５に示すような撮影情報をＥｘｉｆ等の所定の形式の画像データのヘッダ部に記憶する。ヘッダ部に撮影情報が記憶された画像データは、メモリカード３６内の所定のフォルダに記憶される。
【００１７】
次に、図６に示すフローチャートを参照して実施の形態に係るデジタルカメラ２において水中で撮影を行う場合の処理について説明する。まず、電源がオンにされると（ステップＳ２１）、ＣＰＵ４は、水検出センサ８によりデジタルカメラ２が水中にあるか否かを判定する（ステップＳ２２）。ここで、水検出センサ８は、図示しない＋電極及び−電極を備えており、ＣＰＵ４は、この電極間に流れた電流を検出することによりデジタルカメラ２が水中にあるか否かを判定する。
【００１８】
デジタルカメラ２が水中にある場合（ステップＳ２２：Ｙｅｓ）、ＣＰＵ４は、デジタルカメラ２が水中にあると判定した日時及びデジタルカメラ２が水中にあることを示す情報を履歴情報として履歴記憶部１４に記憶する（ステップＳ２３）。例えば、２０１０年１１月３日の午前１１時４２分にデジタルカメラ２が水中にあると判定した場合、図３に示すように、「2010.11.03  11:42  Water Detection Sensor」のように記憶する。
【００１９】
そして、ＣＰＵ４は、撮影モードを水中で撮影を行う水中撮影モードに設定する（ステップＳ２４）。次に、操作者によりレリーズボタン５０が操作され、撮像素子３２により被写体の撮影が行われると（ステップＳ２５）、ＣＰＵ４は、撮像素子３２により撮影された画像の画像データを画像記憶部３３に記憶し、撮影日時、撮影時のレンズＦ値、水中で撮影したことを示す情報等の撮影情報を情報記憶部３４に記憶する。次に、ＣＰＵ４は、画像記憶部３３から画像データを読み出し、情報記憶部３４から撮影情報を読み出して、Ｅｘｉｆ等の所定の形式の画像データのヘッダ部に撮影情報をタグ情報として記憶した後（ステップＳ２６）、画像データをメモリカード３６内の所定のフォルダに記憶する。
【００２０】
次に、ＣＰＵ４は、デジタルカメラ２が所定の水深よりも深い場所に位置するか否かを判定する（ステップＳ２７）。例えば、水深５ｍまでは水中で安全に撮影できることを仕様書で保証している場合、ＣＰＵ４は、デジタルカメラ２の位置が水深５ｍよりも深い場所に移動したか否かを判定する。ここで、水深は、圧力センサ１０により計測された水圧に基づいて判定され、例えば、圧力センサ１０により計測した水圧が１．５ａｔｍを超えたときにデジタルカメラ２の位置が水深５ｍよりも深い場所に移動したと判定する。
【００２１】
デジタルカメラ２が所定の水深よりも深い場所に位置しない場合（ステップＳ２７：Ｎｏ）、ステップＳ２５の処理に戻る。一方、デジタルカメラ２が所定の水深よりも深い場所に位置する場合（ステップＳ２７：Ｙｅｓ）、ＣＰＵ４は、デジタルカメラ２の位置が所定の水深よりも深い場所に位置した時間を加算した合計の時間（以下、加算時間という。）のカウントを開始すると共に、デジタルカメラ２が位置する水深が所定の水深を超えた日時及び水深の値を履歴情報として履歴記憶部１４に記憶する（ステップＳ２８）。例えば、水深５ｍまでは水中で安全に撮影できることを仕様書で保証している場合において、２０１０年１１月３日の午前１１時５０分にデジタルカメラ２の位置が水深５ｍよりも深い場所に移動した場合、図３に示すように、「2010.11.03  11:50  Dep  −5m」という履歴情報を履歴記憶部１４に記憶する。
【００２２】
次に、操作者によりレリーズボタン５０が操作され、撮像素子３２により被写体の撮影が行われると（ステップＳ２９）、ＣＰＵ４は、撮像素子３２により撮影された画像の画像データを画像記憶部３３に記憶し、撮影日時、撮影時のレンズＦ値、水深情報等の撮影情報を情報記憶部３４に記憶する。次に、ＣＰＵ４は、画像記憶部３３から画像データを読み出し、情報記憶部３４から撮影情報を読み出して、Ｅｘｉｆ等の所定の形式の画像データのヘッダ部に撮影情報をタグ情報として記憶した後（ステップＳ３０）、画像データをメモリカード３６内の所定のフォルダに記憶する。
【００２３】
次に、ＣＰＵ４は、デジタルカメラ２が所定の水深よりも浅い場所に位置するか否かを判定する（ステップＳ３１）。例えば、水深５ｍまでは水中で安全に撮影できることを仕様書で保証している場合、ＣＰＵ４は、デジタルカメラ２の位置が水深５ｍよりも浅い場所に移動したか否かを判定する。デジタルカメラ２が所定の水深よりも浅い場所に位置しない場合（ステップＳ３１：Ｎｏ）、ステップＳ２９〜ステップＳ３１の処理を繰り返す。一方、デジタルカメラ２が所定の水深よりも浅い場所に位置する場合（ステップＳ３１：Ｙｅｓ）、ＣＰＵ４は、カウントを終了すると共に加算時間を確定し、計測日付、カウント開始時刻、カウント終了時刻及び水深の値と共に加算時間を履歴情報として履歴記憶部１４に記憶する（ステップＳ３２）。例えば、水深５ｍまでは水中で安全に撮影できることを仕様書で保証している場合において、２０１０年１１月３日の午前１１時５０分にデジタルカメラ２の位置が仕様書に規定された水深５ｍよりも深い場所に移動し、午前１１時５５分に水深５ｍよりも浅い場所に移動した場合、ＣＰＵ４は、「2010.11.03  11:50−11:55  Dep  −5m  (5min)」（図３参照）のような履歴情報を履歴記憶部１４に記憶する。
【００２４】
なお、デジタルカメラ２が水中にない場合（ステップＳ２２：Ｎｏ）、操作者によりレリーズボタン５０が操作されると、ＣＰＵ４は、撮像素子３２により通常に撮影を行う（ステップＳ３３）。次に、ＣＰＵ４は、撮像素子３２により撮影された画像の画像データを画像記憶部３３に記憶し、撮影日時、撮影時のレンズＦ値等の撮影情報を情報記憶部３４に記憶する。次に、ＣＰＵ４は、画像記憶部３３から画像データを読み出し、情報記憶部３４から撮影情報を読み出して、Ｅｘｉｆ等の所定の形式の画像データのヘッダ部に撮影情報をタグ情報として記憶した後、画像データをメモリカード３６内の所定のフォルダに記憶する。
【００２５】
次に、図７に示すフローチャートを参照して実施の形態に係るデジタルカメラ２において低温で撮影を行う場合の処理について説明する。まず、電源がオンにされると（ステップＳ４１）、ＣＰＵ４は、温度センサ１２により、デジタルカメラ２の周囲の温度が所定の温度以下であるか否かを判定する（ステップＳ４２）。例えば、−１０℃までは安全に撮影できることを仕様書で保証している場合、ＣＰＵ４は、温度センサ１２により計測した温度が−１０℃以下であるか否かを判定する。
【００２６】
デジタルカメラ２の周囲の温度が所定の温度以下である場合（ステップＳ４２：Ｙｅｓ）、ＣＰＵ４は、デジタルカメラ２の周囲の温度が所定の温度以下であった時間を加算した合計の時間（以下、加算時間という。）のカウントを開始すると共にデジタルカメラ２の周囲の温度が所定の温度以下になった日時及び温度の値を履歴として履歴記憶部１４に記憶する（ステップＳ４３）。例えば、−１０℃までは安全に撮影できることを仕様書で保証している場合において、２０１１年１月１２日の午前８時３５分にデジタルカメラ２の周囲の温度が−１０℃以下になった場合、図３に示すように、「2011.01.12  08:35  Temp  −10℃」のように記憶する。
【００２７】
次に、操作者によりレリーズボタン５０が操作され、撮像素子３２により被写体の撮影が行われると（ステップＳ４４）、ＣＰＵ４は、撮像素子３２により撮影された画像の画像データを画像記憶部３３に記憶し、撮影日時、撮影時のレンズＦ値、温度情報等の撮影情報を情報記憶部３４に記憶する。次に、ＣＰＵ４は、画像記憶部３３から画像データを読み出し、情報記憶部３４から撮影情報を読み出して、Ｅｘｉｆ等の所定の形式の画像データのヘッダ部に撮影情報をタグ情報として記憶した後（ステップＳ４５）、画像データをメモリカード３６内の所定のフォルダに記憶する。
【００２８】
次に、ＣＰＵ４は、デジタルカメラ２の周囲の温度が所定の温度を超える温度となったか否かを判定する（ステップＳ４６）。例えば、−１０℃までは安全に撮影できることを仕様書で保証している場合、ＣＰＵ４は、−１０℃よりも高い温度が計測されたか否かを判定する。デジタルカメラ２の周囲の温度が所定の温度を超えていない場合（ステップＳ４６：Ｎｏ）、ステップＳ４４〜ステップＳ４６の処理を繰り返す。一方、デジタルカメラ２の周囲の温度が所定の温度を超える温度となった場合（ステップＳ４６：Ｙｅｓ）、ＣＰＵ４は、カウントを終了すると共に加算時間を確定し、計測日付、カウント開始時刻、カウント終了時刻及び温度の値と共に加算時間を履歴情報として履歴記憶部１４に記憶する（ステップＳ４７）。例えば、−１０℃までは安全に撮影できることを仕様書で保証している場合において、２０１０年１月１２日の午前８時３５分に温度センサ１２により計測した温度が−１０℃以下になり、午前８時４５分に−１０℃を超えた場合、ＣＰＵ４は、「2011.01.12  08:35−08:45  Temp  −10℃  (10min)」（図３参照）のような履歴情報を履歴記憶部１４に記憶する。
【００２９】
なお、電源がオンされた後（ステップＳ４１）、デジタルカメラ２の周囲の温度が所定の温度以下でない場合（ステップＳ４２：Ｎｏ）、操作者によりレリーズボタン５０が操作されると、ＣＰＵ４は、撮像素子３２により通常に撮影を行う（ステップＳ４８）。次に、ＣＰＵ４は、撮像素子３２により撮影された画像の画像データを画像記憶部３３に記憶し、撮影日時、撮影時のレンズＦ値等の撮影情報を情報記憶部３４に記憶する。次に、ＣＰＵ４は、画像記憶部３３から画像データを読み出し、情報記憶部３４から撮影情報を読み出して、Ｅｘｉｆ等の所定の形式の画像データのヘッダ部に撮影情報をタグ情報として記憶した後、画像データをメモリカード３６内の所定のフォルダに記憶する。
【００３０】
次に、実施の形態に係るデジタルカメラ２において履歴情報の確認を行う処理について説明する。まず、履歴表示ボタン５２が操作されると、ＣＰＵ４は、履歴記憶部１４から履歴情報を読み出し、ＬＣＤ表示部２４において図３に示すような履歴情報を表示する。次に、測定を行ったセンサを選択する図示しないボタンが操作されると、選択されたセンサにより測定された履歴情報がＬＣＤ表示部２４において表示される。例えば、操作者により水検出センサ８が選択された場合、図８に示すように、水検出センサ８によりデジタルカメラ２が水中にあると判定された日時の履歴情報がＬＣＤ表示部２４において所定の件数分表示される。ここで、所定の件数については、例えば、５件のように操作者が任意に設定することができる。
【００３１】
この実施の形態に係るデジタルカメラ２によれば、履歴記憶部１４に記憶された履歴情報をＬＣＤ表示部２４において確認できるため、サービスセンター等において故障の原因を容易に推測することができる。例えば、ＬＣＤ表示部２４において履歴情報を確認した場合、デジタルカメラ２が水中にあると判定された日時の履歴情報の件数が多ければ、Ｏリング等の消耗部品が耐用期限を超えたことが故障の原因であることが推測できる。また、履歴情報において、デジタルカメラ２が所定の水深よりも深くに位置していた加算時間が長い場合、仕様書で保証している範囲を超えてデジタルカメラ２を使用したことが故障の原因であることが推測できる。
【００３２】
また、この実施の形態に係るデジタルカメラ２によれば、画像を撮影したときにＥｘｉｆ等の所定の形式の画像データのヘッダ部に撮影情報を記憶するため、操作者はＬＣＤ表示部２４において撮影情報を閲覧することにより、画像がどのような環境で撮影されたかを認識することができる。例えば、ＬＣＤ表示部２４において画像データのヘッダ部に記憶されている撮影情報を閲覧した場合において、加速度情報が「加速度Ｇ  ７５０Ｇ」のように表示されれば、操作者は閲覧した画像が衝撃後に撮影された画像であることを認識できる。また、デジタルカメラ２の不具合の原因を容易に推測することができる。例えば、低温で撮影を行うとデジタルカメラ２の電力が短時間で消耗する場合があるが、操作者は履歴情報をＬＣＤ表示部２４において確認することにより、低温で撮影したことが原因で電力が消耗したのか否かを推測することができる。
【００３３】
なお、上述の実施の形態において、デジタルカメラ２の消耗部品の交換時期が到来しているか否かを履歴情報に基づいて判定するようにしてもよい。例えば、デジタルカメラ２が水中にあると判定された日時の履歴情報の件数が１００件を超えたらＯリングの交換時期が到来していると判定する。そして、プログラム記憶部３５から「Ｏリングの交換時期です。お早めにサービスセンターにて交換ください。」等のメッセージのデータを読み出し、図９に示すように、メッセージをＬＣＤ表示部２４に表示する。これにより、操作者に対して早期に消耗部品の交換を促し、デジタルカメラ２の故障を未然に防止することができる。
【００３４】
また、上述の実施の形態において、センサにより測定した値が所定の値となった状態で撮影が行われた場合、撮影した画像の画像データと履歴情報とを関連付けるようにしてもよい。ここで、関連付けは、画像データのヘッダ部に記憶された撮影日時に基づいて行うようにしてもよい。例えば、２０１０年１１月３日の午前１１時５３分に水深５ｍよりも深い場所で撮影が行われ、撮影した画像の画像データのヘッダ部に「2010.11.03  11:53」という撮影日時が記憶されたとする。この場合、撮影日時（2010.11.03  11:53）以前において最も近い日時情報を有する履歴情報「2010.11.03  11:50  Dep  −5m」（図３参照）と画像データとを関連付けるようにする。
【００３５】
また、履歴情報と関連付けられた画像データに基づく画像をＬＣＤ表示部２４において表示する場合、画像と共にメッセージを表示するようにしてもよい。例えば、履歴情報「2010.11.03  11:50  Dep  −5m」（図３参照）と関連付けられた画像データに基づく画像をＬＣＤ表示部２４において表示する場合、ＣＰＵ４は、プログラム記憶部３５から「水深５ｍよりも深い場所で撮影された画像です。」等のメッセージのデータを読み出し、図１０に示すように、画像と共にメッセージを表示する。これにより、ＬＣＤ表示部２４に表示された画像がどのような環境で撮影されたかを操作者に容易に認識させることができる。
【００３６】
また、画像データのヘッダ部に記憶された撮影情報に所定の値がある場合、画像データに基づく画像をＬＣＤ表示部２４において表示する際に画像と共にメッセージを表示するようにしてもよい。例えば、水深５ｍまでは水中で安全に撮影できることを仕様書で保証している場合において、水深６ｍの場所で撮影が行われたとする。そして、画像データのヘッダ部に「水検出有り、水深６ｍ」という水深情報が記憶されたとする。この画像データに基づく画像をＬＣＤ表示部２４において表示する場合、画像と共に「水深５ｍよりも深い場所で撮影された画像です。」等のメッセージを表示するようにしてもよい。
【００３７】
また、上述の実施の形態においては、画像データをメモリカード３６内の所定のフォルダに記憶する場合を例に説明しているが、所定のフォルダ内に更に複数のフォルダを設けるようにしてもよい。例えば、図１１に示すように、所定のフォルダ「１００ＤＳＣ」の中にフォルダ「ＷａｔＮＧ」、フォルダ「ＡＣＣＮＧ」及びフォルダ「１０１ＤＳＣ」を設け、所定の水深よりも深い場所で撮影された画像の画像データをフォルダ「ＷａｔＮＧ」に記憶し、衝撃がデジタルカメラ２に作用した後に撮影された画像の画像データをフォルダ「ＡＣＣＮＧ」に記憶し、それ以外の画像データをフォルダ「１０１ＤＳＣ」に記憶する。これにより、操作者は、フォルダに記憶されている画像データがどのような環境で撮影された画像の画像データであるかを認識することができる。
【００３８】
また、上述の実施の形態においては、履歴情報をデジタルカメラ２のＬＣＤ表示部２４において表示する場合を例に説明しているが、外部機器の表示部に表示するようにしてもよい。例えば、図１２に示すように、ＵＳＢケーブル６０を介してデジタルカメラ２とパソコン６２とを接続し、パソコン６２の表示部６４において履歴情報を表示するようにしてもよい。これにより、デジタルカメラ２が故障し、ＬＣＤ表示部２４において履歴情報を確認することができない場合などにパソコン６２の表示部６４で履歴情報を閲覧することができる。
【００３９】
また、上述の実施の形態においては、センサにより測定した測定値が所定の値となった時に履歴記憶部１４に履歴情報を記憶する場合を例に説明しているが、センサにより測定した測定値に著しい変化があった場合に履歴情報を記憶するようにしてもよい。例えば、２０１１年０２月３日の午前１０時０５分にデジタルカメラ２が水中に位置し、１秒後に水深４ｍの場所に移動したとする。この場合、ＣＰＵ４は、「2011.02.03  10:05  Dep  0m→−4m」（図３参照）のように環境の急激な変化を示す履歴情報を履歴記憶部１４に記憶するようにしてもよい。
【００４０】
また、上述の実施の形態においては、カウントが終了したときに加算時間の長さに拘わらず履歴情報を記憶しているが、加算時間が所定の時間を超えた場合に履歴情報を記憶するようにしてもよい。例えば、デジタルカメラ２において水深５ｍまでは水中で安全に撮影できることを仕様書で保証している場合、デジタルカメラ２の位置が水深５ｍよりも深い場所にあったときの加算時間が３０分を超えた場合に履歴情報を履歴記憶部１４に記憶するようにしてもよい。即ち、２０１１年０２月６日の午前０８時１０分にデジタルカメラ２の位置が仕様書に規定された水深５ｍよりも深い場所に位置し、午前０８時４５分に水深５ｍよりも浅い場所に移動した場合、ＣＰＵ４は、「2011.02.06  08:10−08:45  Dep  −5m  (35min)」のような履歴情報を履歴記憶部１４に記憶する。これにより、デジタルカメラ２が故障する可能性の低い履歴情報を履歴記憶部１４に記憶しないようにするすることができる。
【００４１】
また、上述の実施の形態において、複数の加算時間を合計し、加算時間の合計値が所定の閾値を超えた場合に警告メッセージをＬＣＤ表示部２４において表示するようにしてもよい。例えば、加算時間の合計値の閾値が３０分である場合において、デジタルカメラ２の位置が水深５ｍよりも深い場所に２５分間位置した後、一旦水深５ｍよりも浅い場所に移動し、再び水深５ｍよりも深い場所に移動したとする。この場合、再び水深５ｍよりも深い場所に移動してから５分後（即ち、加算時間の合計値が３０分を超えた時点）に警告メッセージをＬＣＤ表示部２４において表示する。これにより、操作者に対してデジタルカメラ２を水深の浅い場所に移動させるように促し、デジタルカメラ２の故障を未然に防止することができる。
【００４２】
また、上述の実施の形態においては、電源がオフの状態でも加速度センサ６によりデジタルカメラ２に衝撃が加えられたか否かを判定する場合を例に説明しているが、電源がオフの状態でデジタルカメラ２が水中にあるか否の判定やデジタルカメラ２が所定の水深よりも深い場所に位置したか否かを判定するようにしてもよい。これにより、例えば、所定の水深よりも深い場所でデジタルカメラ２の電源をオフにした場合でも圧力センサ１０による水圧の計測を継続して行うことができる。
【００４３】
また、上述の実施の形態においては、温度センサ１２により計測したデジタルカメラ２の周囲の温度が所定の温度である−１０℃以下である場合に履歴情報を履歴記憶部１４に記憶し、撮影情報を画像データのヘッダ部に記憶する場合を例に説明しているが、温度センサ１２により計測したデジタルカメラ２の周囲の温度が所定の温度（例えば、４０℃）を超える温度である場合に履歴情報を履歴記憶部１４に記憶し、撮影情報を画像データのヘッダ部に記憶するようにしてもよい。
【００４４】
また、上述の実施の形態において、履歴情報の記憶件数を制限するようにしてもよい。例えば、デジタルカメラ２が水中にあると判定した日時の履歴情報の記憶件数を一日につき一件に限定するようにしてもよい。この場合、一日の最初に記憶された履歴情報以外は履歴記憶部１４に記憶しないようにする。また、履歴情報を上書きし、一日の最後に記憶された履歴情報のみが残るようにしてもよい。
【符号の説明】
【００４５】
２…デジタルカメラ、４…ＣＰＵ、６…加速度センサ、８…水検出センサ、１０…圧力センサ、１２…温度センサ、１４…履歴記憶部、１６…無線通信部、１８…ＵＳＢポート、２２…操作部、２４…ＬＣＤ表示部、２６…表示制御部、２８…鏡筒部、３０…モータ制御部、３２…撮像素子、３３…画像記憶部、３４…情報記憶部、３５…プログラム記憶部、３６…メモリカード、３８…音声入出力部、４０…ストロボユニット、４２…電池、４４…電源制御部、４６…バックアップ電池
【図１】
2012181474.tif 000003
【図２】
2012181474.tif 000004
【図３】
2012181474.tif 000005
【図４】
2012181474.tif 000006
【図５】
2012181474.tif 000007
【図６】
2012181474.tif 000008
【図７】
2012181474.tif 000009
【図８】
2012181474.tif 000010
【図９】
2012181474.tif 000011
【図１０】
2012181474.tif 000012
【図１１】
2012181474.tif 000013
【図１２】
2012181474.tif 000014